(57)【要約】【課題】皿部材を使用しているときに蓋部材が回動して該皿部材の開口部を覆うことがなく、皿部材の機能を十分に発揮することができる皿体ユニットを提供する。【解決手段】蓋部材７０は、固定状態における皿部材３０の開口部３１を覆う皿部材使用禁止状態となる第一位置Ｐ１と該皿部材使用禁止状態が解除されて固定状態における皿部材３０が使用可能となる第二位置Ｐ２との間を回動可能であるとともに、皿部材３０が前記固定状態のときには蓋部材７０は前記第一位置Ｐ１と前記第二位置Ｐ２との間を回動することが規制されるように構成され、皿部材３０が前記固定解除状態のときには蓋部材７０は前記第一位置Ｐ１と前記第二位置Ｐ２との間を回動可能に構成される。【選択図】図６
2006095186.tif 000002
【特許請求の範囲】
【請求項１】
開口部を有する皿部材と、前記皿部材を収納する収納部を有するベース部材と、前記皿部材が前記収納部に前記開口部を上面に向けて固定された固定状態と該皿部材を前記収納部から移動させた固定解除状態との間で前記皿部材を可動可能とする可動手段と、前記固定状態における前記皿部材の開口部を覆うことが可能な蓋部材とを備えた皿体ユニットにおいて、
前記蓋部材は前記皿部材と前記ベース部材のいずれか一方に設けられ、該蓋部材は、前記固定状態における前記皿部材の開口部を覆う皿部材使用禁止状態となる第一位置と該皿部材使用禁止状態が解除されて前記固定状態における前記皿部材が使用可能となる第二位置との間を回動可能であるとともに、
前記皿部材が前記固定状態のときには前記蓋部材は前記第一位置と前記第二位置との間を回動することが規制されるように構成され、
前記皿部材が前記固定解除状態のときには前記蓋部材は前記第一位置と前記第二位置との間を回動可能に構成されたことを特徴とする皿体ユニット。
【請求項２】
前記皿部材が前記固定状態のときには前記皿部材あるいは前記ベース部材は前記蓋部材が前記第一位置と前記第二位置との間を回動する軌道上に配置され、前記皿部材が前記固定解除状態のときには前記皿部材及び前記ベース部材は前記軌道上から外れるように配置されたことを特徴とする請求項１に記載の皿体ユニット。
【請求項３】
前記蓋部材は前記ベース部材に設けられるとともに下方に回動することによって前記第一位置から前記第二位置へ移動可能であって、前記皿部材は前記可動手段によって前記固定解除状態が前記固定状態よりも下方に位置するように可動することを特徴とする請求項１又は２に記載の皿体ユニット。
【請求項４】
前記皿部材使用禁止状態のときに前記蓋部材を前記第一位置に固定する蓋部材固定手段を、前記皿部材と前記蓋部材との少なくともいずれか一方に設けたことを特徴とする請求項１ないし３のいずれか１項に記載の皿体ユニット。
【請求項５】
前記蓋部材には常には該蓋部材を前記第一位置あるいは前記第二位置に付勢する付勢手段が備えられていることを特徴とする請求項１ないし４のいずれか１項に記載の皿体ユニット。
【請求項６】
前記皿部材には少なくとも前記固定解除状態の皿部材を回動可能にする回動手段が備えられていることを特徴とする請求項１ないし５のいずれか１項に記載の皿体ユニット。
【発明の詳細な説明】
【技術分野】
【０００１】
この発明は皿体ユニットに関する。
【背景技術】
【０００２】
一般にパチンコ遊技機は、皿体ユニットの１つである灰皿のような開口部を有する皿部材を備えている。この種のパチンコ遊技機は、皿部材（灰皿）の開口部を蓋によって覆うことができる。例えば、遊技機に収納されて回動する蓋部材を引き降ろすことにより、灰皿の開口部を覆うことができるパチンコ遊技機が知られている（特許文献１参照。）。
【０００３】
しかしながら、このパチンコ遊技機においては、遊技者がタバコを吸っているときに蓋部材が回動して灰皿（皿部材）の開口部を覆ってしまうことがあり、灰皿（皿部材）の機能を十分に発揮することができない恐れがあった。
【特許文献１】特開２００２−６６０６８号公報
【発明の開示】
【発明が解決しようとする課題】
【０００４】
この発明は、このような状況に鑑み提案されたもので、皿部材を使用しているときに蓋部材が回動して該皿部材の開口部を覆うことがなく、皿部材の機能を十分に発揮することができる皿体ユニットを提供する。
【課題を解決するための手段】
【０００５】
すなわち、請求項１の発明は、開口部を有する皿部材と、前記皿部材を収納する収納部を有するベース部材と、前記皿部材が前記収納部に前記開口部を上面に向けて固定された固定状態と該皿部材を前記収納部から移動させた固定解除状態との間で前記皿部材を可動可能とする可動手段と、前記固定状態における前記皿部材の開口部を覆うことが可能な蓋部材とを備えた皿体ユニットにおいて、前記蓋部材は前記皿部材と前記ベース部材のいずれか一方に設けられ、該蓋部材は、前記固定状態における前記皿部材の開口部を覆う皿部材使用禁止状態となる第一位置と該皿部材使用禁止状態が解除されて前記固定状態における前記皿部材が使用可能となる第二位置との間を回動可能であるとともに、前記皿部材が前記固定状態のときには前記蓋部材は前記第一位置と前記第二位置との間を回動することが規制されるように構成され、前記皿部材が前記固定解除状態のときには前記蓋部材は前記第一位置と前記第二位置との間を回動可能に構成されたことを特徴とする皿体ユニットに係る。
【０００６】
請求項２の発明は、請求項１において、前記皿部材が前記固定状態のときには前記皿部材あるいは前記ベース部材は前記蓋部材が前記第一位置と前記第二位置との間を回動する軌道上に配置され、前記皿部材が前記固定解除状態のときには前記皿部材及び前記ベース部材は前記軌道上から外れるように配置されたことを特徴とする皿体ユニットに係る。
【０００７】
請求項３の発明は、請求項１又は２において、前記蓋部材は前記ベース部材に設けられるとともに下方に回動することによって前記第一位置から前記第二位置へ移動可能であって、前記皿部材は前記可動手段によって前記固定解除状態が前記固定状態よりも下方に位置するように可動することを特徴とする皿体ユニットに係る。
【０００８】
請求項４の発明は、請求項１ないし３のいずれか１項において、前記皿部材使用禁止状態のときに前記蓋部材を前記第一位置に固定する蓋部材固定手段を、前記皿部材と前記蓋部材との少なくともいずれか一方に設けたことを特徴とする皿体ユニットに係る。
【０００９】
請求項５の発明は、請求項１ないし４のいずれか１項において、前記蓋部材には常には該蓋部材を前記第一位置あるいは前記第二位置に付勢する付勢手段が備えられていることを特徴とする皿体ユニットに係る。
【００１０】
請求項６の発明は、請求項１ないし５のいずれか１項において、前記皿部材には少なくとも前記固定解除状態の皿部材を回動可能にする回動手段が備えられていることを特徴とする皿体ユニットに係る。
【発明の効果】
【００１１】
請求項１の発明に係る皿体ユニットによれば、開口部を有する皿部材と、前記皿部材を収納する収納部を有するベース部材と、前記皿部材が前記収納部に前記開口部を上面に向けて固定された固定状態と該皿部材を前記収納部から移動させた固定解除状態との間で前記皿部材を可動可能とする可動手段と、前記固定状態における前記皿部材の開口部を覆うことが可能な蓋部材とを備えた皿体ユニットにおいて、前記蓋部材は前記皿部材と前記ベース部材のいずれか一方に設けられ、該蓋部材は、前記固定状態における前記皿部材の開口部を覆う皿部材使用禁止状態となる第一位置と該皿部材使用禁止状態が解除されて前記固定状態における前記皿部材が使用可能となる第二位置との間を回動可能であるとともに、前記皿部材が前記固定状態のときには前記蓋部材は前記第一位置と前記第二位置との間を回動することが規制されるように構成され、前記皿部材が前記固定解除状態のときには前記蓋部材は前記第一位置と前記第二位置との間を回動可能に構成されたことより、皿部材を固定状態として使用しているときに蓋部材が回動して該皿部材の開口部を覆うことがなく、皿部材の機能を十分に発揮することができる。
【００１２】
請求項２の発明によれば、請求項１において、前記皿部材が前記固定状態のときには前記皿部材あるいは前記ベース部材は前記蓋部材が前記第一位置と前記第二位置との間を回動する軌道上に配置され、前記皿部材が前記固定解除状態のときには前記皿部材及び前記ベース部材は前記軌道上から外れるように配置されたことより、蓋部材を皿部材とベース部材と間に収納することができ、蓋部材を収納する空間を別個に設ける必要がない。
【００１３】
請求項３の発明によれば、請求項１又は２において、前記蓋部材は前記ベース部材に設けられるとともに下方に回動することによって前記第一位置から前記第二位置へ移動可能であって、前記皿部材は前記可動手段によって前記固定解除状態が前記固定状態よりも下方に位置するように可動することより、皿部材を前方へ水平方向に移動させるときに比べて前記蓋部材と前記皿部材との間隔を長くすることができ、皿部材を前方へ突出させる長さを短くすることができる。
【００１４】
請求項４の発明によれば、請求項１ないし３のいずれか１項において、前記皿部材使用禁止状態のときに前記蓋部材を前記第一位置に固定する蓋部材固定手段を、前記皿部材と前記蓋部材との少なくともいずれか一方に設けたことより、蓋部材が皿部材から取り外されることを防ぎ、皿部材使用禁止状態のときに前記皿部材が故意に使用されることを防ぐことができる。
【００１５】
請求項５の発明によれば、請求項１ないし４のいずれか１項において、前記蓋部材には常には該蓋部材を前記第一位置あるいは前記第二位置に付勢する付勢手段が備えられていることより、蓋部材を用途に合わせて第一位置あるいは第二位置に付勢し、該蓋部材が意に反して第二位置あるいは第一位置に回動することを防ぐことができる。
【００１６】
請求項６の発明によれば、請求項１ないし５のいずれか１項において、前記皿部材には少なくとも前記固定解除状態の皿部材を回動可能にする回動手段が備えられていることより、前記皿部材を回動させて該皿部材に納められた物を皿部材の外へ容易に取り出すことができる。
【発明を実施するための最良の形態】
【００１７】
以下添付の図面に基づきこの発明の好適な実施形態を説明する。図１はこの発明の一実施例に係る皿体ユニットを備えたパチンコ遊技機全体の正面図、図２は同遊技機の裏面側における側枠、機構板、前面枠の取付状態を示す分解斜視図、図３は皿部材が固定状態にある下側球受け皿の斜視図、図４は皿部材が固定解除状態にある下側球受け皿の斜視図、図５は皿部材の使用を禁止した下側球受け皿の斜視図、図６は蓋部材をベース部材に設けた皿体ユニットの断面図、図７は蓋部材を皿部材に設けた皿体ユニットの断面図、図８は皿部材の固定解除状態が固定状態よりも下方に位置することを示す説明図、図９は固定解除状態の皿部材が回動した下側球受け皿の斜視図、図１０は他の実施例に係る固定解除状態の皿部材が回動した下側球受け皿の斜視図である。
【００１８】
この実施例のパチンコ遊技機１は、図１及び図２に示すように、側枠１０と、枠体２０（以下前面枠と称する。）と、遊技盤Ｍとを備えている。この遊技盤Ｍは前面枠２０に取り付けられる。
【００１９】
側枠１０は、図示するように、パチンコ遊技機１の最外周枠を形成する。符号１３は安定板、１４は前面枠２０の受部、１８は前面枠２０に配置された鍵装置２６の係止金具である。
【００２０】
前面枠２０は、側枠１０に回動可能に取り付けられるとともに該側枠１０に嵌入して固定される。この実施例の前面枠２０は、図２に示すように、軸支部材取付部２１と側枠１０の軸支部材１１とを組み合わせることにより、側枠１０に回動可能に取り付けられる。
【００２１】
遊技盤Ｍの縁には、図１に示すように、遊技領域６に発射装置Ｅにより発射された遊技球を誘導するガイドレール４が略円形に立設されており、該ガイドレール４によって囲まれた遊技領域６には遊技球が入賞可能な複数の入賞口が設けられている。
【００２２】
この実施例の遊技領域６には、その中心線上に上部から下部に向かって順に液晶表示器（ＴＦＴ−ＬＣＤモジュール）等からなる画像表示部５０を有する表示装置９、始動入賞口１１、特別電動役物である大入賞口１５、アウト口が配設され、また上方両側にはランプ風車１８ａ，１８ｂ、その下方に普通図柄変動開始用左ゲート１９及び普通図柄変動開始用右ゲート２１、その下方には風車２２ａ，２２ｂ、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、この実施例の遊技領域６には、該遊技領域６を転動しつつ下方へ落下する遊技球を誘導する遊技釘（図示せず）が適宜設けられる。
【００２３】
さらに、パチンコ遊技機１の前面側には払い出された遊技球を受けるための上側球受け皿３２、該上側球受け皿３２の飽和時に遊技球を受け止めるための下側球受け皿３４、遊技状態を報知するランプ表示器３５、遊技者が貸球の払出操作を行う球貸し操作部５５、前記上側球受け皿３２に内蔵されて音声や効果音を発して遊技状態を遊技者に報知するスピーカＳ、遊技者の発射操作に応じて遊技球を遊技盤Ｍに向けて発射するための発射装置Ｅ、該発射装置Ｅの操作レバーＥ１がそれぞれ組み付けられている。図中の符号１５１はカードユニットである。
【００２４】
前記発射装置Ｅは、その操作レバーＥ１と、該操作レバーＥ１の操作により駆動する発射モータと、該発射モータの駆動により間欠的に揺動して遊技球を弾発発射する打球槌とを有している。この発射装置Ｅにより発射された遊技球は、前記遊技盤Ｍに立設されたガイドレール４に沿って遊技領域６に誘導される。遊技領域６に誘導された遊技球は、転動しつつ下方へ落下し、該遊技領域６に設けられた入賞口に入賞するか、あるいは何れにも入賞しなければ前記アウト口から遊技盤Ｍの裏側へ排出される。
【００２５】
実施例のパチンコ遊技機１は、機構板３が前面枠２０の裏面に取り付けられる。機構板３は、遊技施設の設置島から投入される払出用の遊技球を貯留する貯留タンク、貯留タンクから遊技球を払出装置へ流下させる複数の誘導樋等が形成されている。さらに、この機構板３は、遊技球の払出条件成立時の遊技球の払い出しを制御する払出制御基板、各種の制御基板を制御する主制御基板等を備えている。この機構板３は、図示するように、係止用突起部５と前面枠２０の機構板係止部材２４とを組み合わせることにより、前面枠２０に取り付けられる。図２中の符号４０Ａは左側回動固定部材、４０Ｂは右側回動固定部材、４５は各回動固定部材の取付部である。
【００２６】
このパチンコ遊技機１は、図３ないし図５に示すように、皿体ユニットＵを有している。皿体ユニットＵは、皿部材３０と、ベース部材３６と、可動手段６０と、蓋部材７０とを備えている。ベース部材３６は前面枠２０に取り付けられている。各図の符号３６Ａは飾りカバー部材である。
【００２７】
皿部材３０は、図示するように、開口部３１を有する。実施例では、皿部材３０を、灰皿とし耐熱性樹脂によって構成した。皿部材３０は、タバコの吸殻や灰等を開口部３１に溜めることができる。この皿部材３０は、灰皿に限らず、開口部３１を有する小物入れ等であってもよく、適宜の材質を選択して成形することができる。
【００２８】
ベース部材３６は、図４に示すように、皿部材３０を収納する収納部３７を有する。収納部３７は、下側球受け皿３４の前面側の端部を開放して皿部材３０を出し入れ可能に収納する空間である。実施例では、図示するように、収納部３７が下側球受け皿３４の左端部を開放して灰皿（皿部材３０）を出し入れ可能に形成される。
【００２９】
ベース部材３６は、図示するように、遊技球の流入口３６Ｂと遊技球貯留部３６Ｃ
とを有する。この流入口３６Ｂは、上側球受け皿３２が飽和して貯留することができない遊技球やいわゆるファール球を遊技球貯留部３６Ｃに誘導するものである。
【００３０】
可動手段６０は、皿部材３０を固定状態と固定解除状態との間で可動可能とするものである。固定状態は、図３に示すように、皿部材３０が前記収納部３７に開口部３１を上面に向けて固定された状態である。皿部材３０は、係止部３０Ｃ（図４参照）と皿体ユニットＵの係止突起部３８Ｃとによって収納部３７に固定される。固定状態の皿部材３０は、下側球受け皿３４の外観を損なわないように、該皿部材３０の上面と皿体ユニットＵの左側部壁３８Ａの上面とが同一面上に配置されるように固定される。また、固定状態の皿部材３０は、下側球受け皿３４の外観を損なわないように、該皿部材３０の前面とベース部材３６の前面とが同一面上に配置されるように固定される。係止部３０Ｃと係止突起部３８Ｃは、図３及び図４から理解できるように、それぞれ２つずつ設けられる。
【００３１】
一方、固定解除状態は、図４に示すように、皿部材３０を収納部３７から移動させた状態である。この皿部材３０は、係止部３０Ｃと係止突起部３８Ｃとの係合を解除し、収納部３７から移動させることができる。
【００３２】
実施例では、可動手段６０が、図３に示すように、板状部材によって構成される。可動手段６０は、皿部材３０と皿体ユニットＵの左側部壁３８Ａとを連結する。この可動手段６０は、一端の側部壁側取付部６０Ａによって左側部壁３８Ａに取り付けられ、他端の皿部材側取付部６０Ｂによって皿部材３０を回動可能に取り付ける。図示しないが、可動手段６０は、皿体ユニットＵの右側部壁３８Ｂにも取り付けられる。この側部壁側取付部６０Ａは、皿部材３０を可動させることができるように軸部材によって前記左側部壁３８Ａに支持するものである。これによって、可動手段６０は、皿部材３０を前記固定状態と前記固定解除状態の間を可動させることができる。
【００３３】
蓋部材７０は、前記固定状態における皿部材３０の開口部３１を覆うことができるものである。蓋部材７０は、皿部材３０の上面と同形状の面を有する板状部材である。また、実施例の皿部材３０は、灰皿として利用するためタバコを置く窪みが前面側に設けられ、蓋部材７０に設けた突起部によって該窪みを塞ぐことができ、開口部３１を完全に覆うことが可能となっている。この蓋部材７０は、皿部材３０とベース部材３６のいずれか一方に設けられる。実施例では、図５から理解できるように、蓋部材７０が、ベース部材３６に設けられて固定状態における皿部材３０の開口部３１を覆うことができる。なお、蓋部材７０は、皿部材３０に設けることにより、固定状態にある皿部材３０の開口部３１を覆うこともできる。
【００３４】
この蓋部材７０は、第一位置Ｐ１と第二位置Ｐ２の間を回動させることができる。第一位置Ｐ１は、図５から理解できるように、蓋部材７０が固定状態における皿部材３０の開口部３１を覆い皿部材３０の使用を禁止する状態となる位置である。一方、第二位置Ｐ２は、図３から理解できるように、皿部材３０の使用を禁止する状態が解除されて固定状態における皿部材３０の使用が可能となる状態とする位置である。
【００３５】
この実施例では、図５に示すように、固定状態の皿部材３０は、開口部３１が第一位置Ｐ１の蓋部材７０によって覆われて灰皿として使用することが禁止される。この蓋部材７０は、図示するように、側部係止部７２が前記係止突起部３８Ｃと係合して第一位置Ｐ１に固定される。これによって、蓋部材７０が自重によって回転することを防ぐことができる。
【００３６】
一方、図３に示すように、固定状態の皿部材３０は、蓋部材７０を第二位置Ｐ２に回動させることにより、開口部３１が開放されて灰皿として使用することができる。
【００３７】
蓋部材７０は、皿部材３０が前記固定状態のときには第一位置Ｐ１と第二位置Ｐ２との間を回動することが規制されるように構成される。一方、蓋部材７０は、皿部材３０が前記固定解除状態のときには第一位置Ｐ１と第二位置Ｐ２との間を回動可能に構成される。
【００３８】
この実施例では、図３に示すように、蓋部材７０は、ベース部材３６の正面壁部３９と固定状態の皿部材３０と間に収納される。蓋部材７０は、皿部材３０によって正面壁部３９側に押さえられ回動が規制される。また、蓋部材７０は、皿部材３０によって覆われて操作することができなくなる。これによって、蓋部材７０は、皿部材３０を灰皿として使用しているときに開口部３１を覆うことがない。固定状態の皿部材３０は、開口部３１が覆われることがなく、灰皿の機能を十分に発揮することができる。
【００３９】
図６に示すように、皿部材３０が固定解除状態のときは、蓋部材７０が皿部材３０によって正面壁部３９側に押さえられることがない。また、蓋部材７０は、図示するように、皿部材３０を該蓋部材７０の移動を妨げない固定解除位置に移動させることにより、回動させることができる。このようにして、蓋部材７０は、第一位置Ｐ１と第二位置Ｐ２との間を回動する。
【００４０】
この発明は、皿部材３０が固定状態のときは、皿部材３０あるいはベース部材３６が、蓋部材７０が第一位置Ｐ１と第二位置Ｐ２との間を回動する軌道上に配置される。一方、皿部材３０が固定解除状態のときは、皿部材３０及びベース部材３６が、蓋部材７０が第一位置Ｐ１と第二位置Ｐ２との間を回動する軌道上から外れるように配置される。以下に、蓋部材７０を皿部材３０とベース部材３６のいずれか一方に設けた場合についてそれぞれ説明する。
【００４１】
図３、図５及び図６に示す実施例は、蓋部材７０をベース部材３６に設けたものである。この実施例の皿部材３０は、図３及び図５から理解できるように、固定状態のときに蓋部材７０が第一位置Ｐ１と第二位置Ｐ２との間を回動する軌道上に配置される。一方、図６に示すように、皿部材３０及びベース部材３６は、固定解除状態のときに蓋部材７０が第一位置Ｐ１と第二位置Ｐ２との間を回動する軌道上Ｔから外れるように配置される。図３、図５及び図６に示す構成により、第二位置の蓋部材７０を皿部材３０とベース部材３６の正面壁部３９との間に収納することができ、蓋部材７０を収納するための空間を例えばベース部材３６の背面に設けて蓋部材７０を該収容空間にベース部材３６の前面側から挿入するための開口を該ベース部材３６に設ける必要がない。この発明は、前記開口をベース部材３６等に設ける必要がないため、遊技機外部からベース部材３６等の開口を通してピアノ線等が前記収容空間に挿入されて不正な操作がなされることを防ぐこともできる。
【００４２】
図７に示す実施例は、蓋部材７０を皿部材３０に設けたものである。この実施例のベース部材３６は、図７から理解できるように、皿部材３０が固定状態のときに蓋部材７０が第一位置Ｐ１と第二位置Ｐ２の間を回動する軌道上に配置される。一方、皿部材３０及びベース部材３６は、図７に示すように、皿部材３０が固定解除状態のときに蓋部材７０が第一位置Ｐ１と第二位置Ｐ２との間を回動する軌道上Ｔ１から外れるように配置される。図７に示す構成により、第二位置Ｐ２の蓋部材７０を皿部材３０とベース部材３６の正面壁部３９との間に収納することができ、蓋部材７０を収納する空間を例えばベース部材３６の背面に設ける必要がない。また、ピアノ線等が該収容空間に挿入されて不正な操作がなされることを防ぐこともできる。
【００４３】
蓋部材７０はベース部材３６に設けられるとともに下方に回動することによって第一位置から第二位置へ移動可能である。実施例の蓋部材７０は、図３及び図８に示すように、固着した軸部材７１を軸受部３８Ｄに遊嵌させてベース部材３６に設けられる。この蓋部材７０は、図６に示すように、下方に回動して第一位置Ｐ１から第二位置Ｐ２へ移動する。
【００４４】
皿部材３０は、可動手段６０によって固定解除状態が固定状態よりも下方に位置するように可動する。皿部材３０は、図３及び図８に示すように、前記側部壁側取付部６０Ａに支えられて可動手段６０により回動する。この皿部材３０の上面は、図示するように、固定解除状態（図８）が固定状態（図３）よりも寸法Ｙだけ下方に位置するように可動する。これによって、皿部材３０を前面へ水平方向に移動させるときに比べて蓋部材７０と皿部材３０との間隔を長くすることができ、皿部材３０を前方へ突出させる長さを短くすることができる。
【００４５】
この発明の皿体ユニットＵは、皿部材３０が皿部材使用禁止状態のときに蓋部材７０を第一位置Ｐ１に固定する蓋部材固定手段７５を設けている。この蓋部材固定手段７５は、皿部材３０と蓋部材７０との少なくともいずれか一方に設けられる。
【００４６】
実施例では、蓋部材固定手段７５が、図５に示すように、蓋部材７０に貫設した螺子孔と公知の螺子（図示せず）とによって構成される。皿部材３０は、図８に示すように、螺子孔３３が蓋部材７０の螺子孔と対向する位置に設けられる。蓋部材７０は、螺子を該蓋部材７０の螺子孔と皿部材３０の螺子孔３３とに螺着し、第一位置Ｐ１に固定されて開口部３１を覆う。これによって、蓋部材７０が皿部材３０から取り外されることを防ぎ、皿部材３０が灰皿として故意に使用されることを禁止することができる。
【００４７】
蓋部材固定手段７５を蓋部材７０に突設させた爪部によって構成し、爪部を皿部材３０に貫設した孔部に嵌入させるようにしてもよい。また、蓋部材固定手段７５は皿部材３０に突設させた爪部によって構成し、この爪部を蓋部材７０に貫設した孔部に嵌入させるようにしてもよい。
【００４８】
図６及び図７に示すように、蓋部材７０は、常には該蓋部材７０を第一位置Ｐ１あるいは第二位置Ｐ２に付勢する付勢手段７６を備える。実施例では、この付勢手段７６が、弾性部材（この例ではつるまきばね）によって構成される。ここでは、蓋部材７０が、付勢手段７６によって常に第一位置Ｐ１に付勢され、固定状態の皿部材３０の開口部３１を覆うことができる。第一位置Ｐ１では、蓋部材７０とベース部材３６のなす角度が９０度となる。
【００４９】
これに対し、蓋部材７０を、付勢手段７６によって常に第二位置Ｐ２に付勢してもよい。第二位置Ｐ２では、蓋部材７０がベース部材３６あるいは皿部材３０の背面と平行となる。この蓋部材７０は、常に第二位置Ｐ２に付勢されることにより、第一位置Ｐ１から回動させて皿部材３０の使用禁止状態を解除し該皿部材３０と正面壁部３９との間に収納する必要がない。
【００５０】
この付勢手段７６は、用途に合わせて第一位置Ｐ１あるいは第二位置Ｐ２に付勢することができ、蓋部材７０が意に反して第二位置Ｐ２あるいは第一位置Ｐ１に回動することを防ぐことができる。これにより、蓋部材７０を効率よく操作することが可能となる。
【００５１】
図９に示すように、皿部材３０は、少なくとも固定解除状態の皿部材３０を回動可能にする回動手段６５を備える。実施例では、回動手段６５が、前記可動手段６０の皿部材側取付部６０Ｂによって構成される。この回動手段６５は、皿部材３０を回動させることができるように軸部材によって可動手段６０に支持するものである。この実施例では、軸部材を螺子山が一部形成されていない軸部を有する螺子部材によって構成し、皿部材３０を該螺子部材によって皿部材側取付部６０Ｂに回動可能となるように取り付けた。また、別の方法として、回動手段６５を、皿部材３０が回動可能となるように該皿部材３０に設け皿部材側取付部６０Ｂに嵌合する突起部（軸部材）によって可動手段６０に支持するように構成すると、部材数の低減を図ることが可能となる。
【００５２】
皿部材３０は、図４に示すように、可動手段６０によって前記固定位置から固定解除位置に移動させることができる。固定解除位置の皿部材３０は、図９に示すように、回動手段６５の軸部材により可動手段６０に支えられて開口部３１を下方に向けて回動する。これによって、灰皿として使用する皿部材３０を回動させ、開口部３１に溜まったタバコの吸殻等を排出することができる。
【００５３】
図１０は他の実施例を示すものである。この実施例の可動手段６１は、図示するように、一端を皿体ユニットＵの左側部壁３８Ａの中央付近、他端を皿部材３０の側部下方にそれぞれ軸支したものである。この実施例の皿部材３０も、回動手段を上述した実施例と同様に構成し、固定解除状態のときに蓋部材７０と干渉しないようにして回動させることができる。この皿部材３０は、上述した実施例と同様に背面下部をＲ形状とし、回動したときに蓋部材７０と干渉することを防ぐ。
【００５４】
本発明は、実施例に限定されるものではなく、発明の趣旨を逸脱しない範囲内において構成の一部を適宜変更して実施することができる。例えば、本発明を、皿体ユニットが備えるベース部材や蓋部材等を適宜の材質のものに変更して実施することができる。
【００５５】
実施例では蓋部材７０を第二位置Ｐ２が皿部材３０の背面と平行となるように配置したが、蓋部材が第二位置を皿部材３０の側面と平行となるように配置されて開口部３１を覆うものとしてもよい。
【００５６】
実施例では蓋部材固定手段を蓋部材７０に貫設した螺子孔と公知の螺子とによって構成したが、蓋部材固定手段を蓋部材に突設させた爪部によって構成し、爪部を皿部材に貫設した孔部に嵌入させるようにしてもよい。この蓋部材固定手段は皿部材に突設させた爪部によって構成し、この爪部を蓋部材に貫設した孔部に嵌入させるようにしてもよい。
【００５７】
また、蓋部材は、固定爪等を店員が下側球受け皿３４の裏側から操作して突出させて回動を阻止し、皿部材が灰皿として故意に使用されることを確実に防ぐようにしてもよい。
【図面の簡単な説明】
【００５８】
【図１】この発明の一実施例に係る皿体ユニットを備えたパチンコ遊技機全体の正面図である。
【図２】同遊技機の裏面側における側枠、機構板、前面枠の取付状態を示す分解斜視図である。
【図３】皿部材が固定状態にある下側球受け皿の斜視図である。
【図４】皿部材が固定解除状態にある下側球受け皿の斜視図である。
【図５】皿部材の使用を禁止した下側球受け皿の斜視図である。
【図６】蓋部材をベース部材に設けた皿体ユニットの断面図である。
【図７】蓋部材を皿部材に設けた皿体ユニットの断面図である。
【図８】皿部材の固定解除状態が固定状態よりも下方に位置することを示す説明図である。
【図９】固定解除状態の皿部材が回動した下側球受け皿の斜視図である。
【図１０】他の実施例に係る固定解除状態の皿部材が回動した下側球受け皿の斜視図である。
【符号の説明】
【００５９】
３０  皿部材
３１  皿部材の開口部
３６  ベース部材
３７  収納部
６０，６１  可動手段
６５  回動手段
７０  蓋部材
７５  蓋部材固定手段
７６  付勢手段
Ｐ１  第一位置
Ｐ２  第二位置
Ｔ，Ｔ１  蓋部材が回動する軌道
Ｕ  皿体ユニット
【図１】
2006095186.tif 000003
【図２】
2006095186.tif 000004
【図３】
2006095186.tif 000005
【図４】
2006095186.tif 000006
【図５】
2006095186.tif 000007
【図６】
2006095186.tif 000008
【図７】
2006095186.tif 000009
【図８】
2006095186.tif 000010
【図９】
2006095186.tif 000011
【図１０】
2006095186.tif 000012